(57)【要約】【課題】  従来のＡＣ機器と変換プラグの固定には、ロック機構が無い、或いは変換プラグとＡＣ機器へのロック機構を設けたものがあるが、バッテリのロック機構等と共存し複雑になるといったこと。また、ＡＣブレードがクリックのみの保持機構で合った為ＡＣコンセントに挿そうとしたときに倒れて使いにくいといったことの解決。【解決手段】  ＡＣ機器と変換プラグへロック機構を設け、そのロック機構をバッテリのロック機構などと兼用できる構造を有し、バッテリが装着された状態では変換プラグを外す事を禁止する事などでＡＣコンセント挿抜時の感電防止や使い勝手改善が可能となることや、収納式のブレードのＡＣコンセントへの挿入時に不用意に収納されることも解消でき、より使い勝手の高いＡＣ機器を提供することが出来る。【選択図】  図６
2009104881.tif 000002
【特許請求の範囲】
【請求項１】
ＡＣ機器のロック機構であって、少なくとも一つの機能はそのＡＣ機器に装着して使用する、変換アダプターとＡＣ機器とのロック機構であり、一つのロック機構に複数の機能を持たせた事を特徴とするＡＣ機器のロック機構。
【請求項２】
ＡＣ機器のロック機構であって、少なくとも一つの機能はそのＡＣ機器に装着して使用する、変換アダプターとＡＣ機器とのロック機構であり、そのＡＣ機器が充電器であって、バッテリーのロック機構を兼ね備えた事を特徴とするＡＣ機器のロック機構。
【請求項３】
ＡＣ機器のロック機構であって、少なくとも一つの機能はそのＡＣ機器に装着して使用する、変換アダプターとＡＣ機器とのロック機構であり、そのＡＣ機器が充電器であって、バッテリーのロック構造の機能を兼ね備えバッテリー装着時には変換アダプターのロック機構が解除できない事を特徴とするＡＣ機器のロック機構。
【請求項４】
ＡＣ機器のロック機構であって、少なくとも一つの機能はそのＡＣ機器に装着して使用する、変換アダプターとＡＣ機器とのロック機構であって、ＡＣブレードの収納のロック機構を兼ね備えた事を特徴とするＡＣ機器のロック機構。
【請求項５】
ＡＣ機器のロック機構であって、少なくとも一つの機能はＡＣブレードの収納のロック機構であり、一つのロック機構に複数の機能を持たせた事を特徴とするＡＣ機器のロック機構。
【請求項６】
ＡＣ機器のロック機構であって、少なくとも一つの機能はＡＣブレード収納のロック機構であり、そのＡＣ機器が充電器であって、バッテリーのロック機構を兼ね備えバッテリー装着時にはＡＣブレード収納の機構が解除できない事を特徴とするＡＣ機器のロック機構。
【請求項７】
ＡＣ機器のロック機構であって、少なくとも一つの機能はＡＣブレード収納のロック機構であり、そのＡＣ機器が充電器であって、バッテリーのロック機構を兼ね備えバッテリー装着時にはＡＣブレード収納の機構が解除できない構造であって、バッテリ装着時に無理にＡＣブレードを収納した際に破壊せず収納可能である事を特徴とするＡＣ機器のロック機構。
【発明の詳細な説明】
【技術分野】
【０００１】
本発明は、ＡＣ機器に着脱可能として装着してなるＡＣ変換アダプター、バッテリ固定、ＡＣブレード等の可動部のロック機構に関するものである。
【背景技術】
【０００２】
従来のＡＣ機器と変換プラグではＡＣ機器のＡＣブレード部に変換プラグの凹部に差込み装着したものや、変換プラグの固定方法として、ＡＣアダプタのプラグ部を可倒式とし起立させた時生じるスペースにガイド溝とロック部を設け、この部分に係合する突起とロック機構を有する構造を変換プラグに設ける提案があった。
【０００３】
（特許文献１参照。）
また、この変換プラグとＡＣ機器にロック機構を設けたものに特に充電器ではバッテリのロックの為の機構を更に別に設けたもの等も広く一般的に知られている。
【０００４】
また、収納式のＡＣブレードではクリックで収納状態と使用状態に保持するものが一般的であった。
【特許文献１】特開2002-198146号公報
【発明の開示】
【発明が解決しようとする課題】
【０００５】
上記より、ＡＣ機器と変換プラグの固定にロック機構が無い為、変換プラグがＡＣ機器から簡単に外れ、使い勝手が良くないこと、外れかかった状態では特に変換プラグがＡＣコンセントに残った状態では感電の可能性があるといったことがあった。
【０００６】
また、これらを解決する為に変換プラグとＡＣ機器へのロック機構を設けたものがあるが、特に充電器等ではそれに装着されるバッテリのロック機構等と共存し複雑になるといったことが解消されていない。
【０００７】
また、変換プラグを使用しない場合であってもＡＣブレードがクリックのみの保持機構で合った為ＡＣコンセントに挿そうとしたときに倒れて使いにくいといったことがあった。
【課題を解決するための手段】
【０００８】
前記目的を達成するために、本発明によるＡＣ機器のロック機構にはＡＣ機器と変換プラグへロック機構を設け、そのロック機構に複数の機能を持たせ、例えばＡＣ機器が充電器の場合その充電器に装着される二次電池のロック機構と兼用する構造を有する。
【０００９】
本発明によるＡＣ機器のロック機構によれば、ＡＣ機器のロック機構をバッテリのロック機構などと兼用できる構造を有し、バッテリが装着された状態では変換プラグを外す事を禁止する事などでＡＣコンセント挿抜時の感電防止や使い勝手改善が可能となることや、収納式のブレードのＡＣコンセントへの挿入時に不用意に収納されることも解消でき、より使い勝手の高いＡＣ機器を提供することが出来る。
【発明の効果】
【００１０】
本発明によれば、従来のＡＣ機器において、例えば変換プラグとの固定にロック機構が無い為、変換プラグがＡＣ機器から簡単に外れ、使い勝手が良くないこと、外れかかった状態では特に変換プラグがＡＣコンセントに残った状態では感電の可能性があるといったことや、それらの解決する為に変換プラグとＡＣ機器へのロック機構を設けたものがあるが、特に充電器等ではそれに装着されるバッテリのロック機構等と共存し複雑になるといったこと、また、変換プラグを使用しない場合であってもＡＣブレードがクリックのみの保持機構で合った為ＡＣコンセントに挿そうとしたときに倒れて使いにくいといったことがあった。
【００１１】
本発明は、上記従来の問題に鑑み、ＡＣ機器のロック機構をバッテリのロック機構などと兼用できる構造を有し、バッテリが装着された状態では変換プラグを外す事を禁止する事などでＡＣコンセント挿抜時の感電防止や使い勝手改善が可能となることや、収納式のブレードのＡＣコンセントへの挿入時に不用意に収納されることも解消でき、より使い勝手の高いＡＣ機器を提供することが出来る。
【発明を実施するための最良の形態】
【００１２】
次に、本発明の詳細を実施例の記述に従って説明する。
【実施例１】
【００１３】
図１は従来の充電器と変換プラグの概略を示す図であり、変換プラグ10を充電器11に装着し使用する。
【００１４】
変換プラグを充電器に装着したのみである為、変換プラグ10が簡単に充電器11から外れ、使い勝手が良くないことや、外れかかった状態では感電の可能性があるといった事があった。
【００１５】
また、この変換プラグ10と充電器11にロック機構を設けたものが提案されているが、充電器に装着されるバッテリのロック機構もあり複雑となっていた。
【００１６】
図２、図3は本実施例の変換プラグと充電器の概略を示す図であり、図２に於いて変換プラグ20は、ＡＣブレード挿入部21a、21b、固定部22a、22b及びロック受け部23と後述する内部接点を有する。
【００１７】
図３に於いて充電器30はカバー31a、31bと回転可能なＡＣブレード32a、32b、固定部33a、33b、ロック部材34及び後述するロック部構造部材、図示しない回路から構成される。
【００１８】
図４は図３にて説明した変換プラグ20と充電器30の取り付け部を各々正面より見た図である。
【００１９】
変換プラグ20のＡＣブレード挿入部21a、21bにＡＣブレード32a、32bを挿入し、変換プラグ20の固定部22a、22bを充電器30の固定部33a、33bへ引っ掛けるように挿入し、変換プラグ20のロック受け部23にロック部材34が入りこむ事で変換プラグ20を固定する事が可能となる。
【００２０】
図５は図４の変換プラグ20と充電器30の取り付けた状態の断面を示す図であり、変換プラグ20の他の形状のブレード部50は変換プラグ20の内部で切片51とカシメて接続されている。
【００２１】
このブレード部50と切片51はカシメ部52、53によって変換プラグ20に固定される
この切片51はブレード部32a、32bとの確実な接触を得る為に本実施例の形状では矢印54の方向に接点圧がかかり、ロック部材34がロック受け部23に入り固定がされる。
【００２２】
図６は本実施例の充電器と変換アダプターの二次電池取り付け部状態を示す概略の図で充電器30に二次電池ロックレバー60を設け二次電池61を固定する。
【００２３】
図７は変換プラグ20と充電器30のロック部の構造を示す図であり、二次電池61を充電器30から取り外すには、二次電池ロックレバー60を矢印70の方向へ操作し解除する。
【００２４】
一方、二次電池ロックレバー60はアーム71を介してロック部材34と接続されている。二次電池ロックレバー60はバネ72によりカバー31aへ付勢され、矢印73の方向へ操作すると支点74により、ロック部材34を矢印75の方向へ操作することが可能となっている。ロック部材34が矢印75の方向へ動くことで変換プラグ20のロック受け部23より開放され、変換プラグ20が充電器30から取り外すことが可能となる。
【００２５】
なお、二次電池60が充電器30に装着されている際には、二次電池ロックレバー61は二次電池61があるために矢印73の方向への操作ができず、また二次電池ロックレバー61を矢印70の方向へ動かした際には突起部76が充電器30のリブ77に入るため同様に矢印73の方向への操作を行うことは不可能となる。
【００２６】
一方ＡＣブレード軸部78には凹部79が構成され変換プラグ20を装着しない状態では二次電池ロックレバー60の操作を行わないとロック部材34により回転、収納ができない構造を採っている。
【００２７】
こうする事で、ＡＣコンセントへの装着時に不用意にＡＣブレード部が収納されてしまうといったことを防止できる。
【００２８】
更に、この凹部79とロック部材34の接触面80は僅かな斜面とＲ面から構成され無理にＡＣブレード軸部77を回転、収納しようとした場合にはロック部材34が矢印81の方向へ逃げＡＣブレード軸部78やロック部材34を破損することなく操作が完了する。
【００２９】
以上説明したように、ＡＣ変換プラグと充電器の取り付け時ロック解除機構と二次電池取り外しの為のロック解除レバーを同一とする事で、充電完了後にＡＣコンセントから充電器を取り外す際に変換プラグだけが残ってしまうといったことや各々違う操作レバー操作するといった煩雑さを解消し、より安全で使い勝手の良い機器とすることが可能となる。
【図面の簡単な説明】
【００３０】
【図１】従来の充電器と変換プラグの概略を示す図。
【図２】実施例１の変換プラグの概略を示す図。
【図３】実施例１の充電器の概略を示す図。
【図４】実施例１の変換プラグと充電器の取付け部を示す図。
【図５】実施例１の変換プラグと充電器の取付け状態の断面を示す図。
【図６】実施例１の二次電池取り付け部状態を示す概略の図。
【図７】実施例１の変換プラグと充電器のロック部の構造の断面を示す図。
【符号の説明】
【００３１】
10  変換プラグ
11  充電器
20  変換プラグ
21a  ＡＣブレード挿入部
21b  ＡＣブレード挿入部
22a  固定部
22b  固定部
23  ロック受け部
30  充電器
31a  カバー
31b  カバー
32a  ＡＣブレード
32b  ＡＣブレード
33a  固定部
33b  固定部
34  ロック部材
50  ブレード部
矢印70の方向
51  切片
52  カシメ部
53  カシメ部
54  荷重の方向
60  二次電池ロックレバー
61  二次電池
70  操作方向
71  アーム
72  バネ
73  操作方向
74  支点
75  操作方向
76  突起部
77  リブ
78  ＡＣブレード軸部
79  凹部
80  接触面
81  移動方向
【図１】
2009104881.tif 000003
【図２】
2009104881.tif 000004
【図３】
2009104881.tif 000005
【図４】
2009104881.tif 000006
【図５】
2009104881.tif 000007
【図６】
2009104881.tif 000008
【図７】
2009104881.tif 000009